(57)【要約】【課題】  共振回路における合成内部入力キャパシタンス要素の温度特性変化率を小さくし、小型で、低コスト、低損失で温度変化による効率変動の少ない放電管点灯装置を提供することを課題とする。【解決手段】  圧電トランス１の入力部２に内在する内部入力キャパシタンス要素の容量値の温度による変化の影響を減少させるため、放電管点灯装置の回路構成における合成共振回路部１６に温度補償機能を有するコンデンサＣ１を接続する。【選択図】  図７
2007200590.tif 000002
【特許請求の範囲】
【請求項１】
入力部と出力部とを有する圧電トランスと、前記圧電トランスの前記入力部に接続された共振回路部と、前記共振回路部に接続されて交流電圧を供給する駆動回路部と、前記圧電トランスの出力部に接続される放電管からなる放電管点灯装置であって、前記共振回路部と前記入力部間に、前記入力部に並列に、容量値の温度による変化率が−３０℃以上、８０℃の範囲で極大値を有するキャパシタンス要素を接続配置してなることを特徴とする放電管点灯装置。
【請求項２】
入力部と出力部とを有する圧電トランスと、前記圧電トランスの前記入力部に接続された共振回路部と、前記共振回路部に接続されて交流電圧を供給する駆動回路部と、前記圧電トランスの出力部に接続される放電管からなる放電管点灯装置であって、前記共振回路部と前記入力部間に、前記入力部に並列に、容量値の温度による変化率が−３０℃以上、８０℃の範囲で極大値を有するキャパシタンス要素を接続配置し、前記共振回路部と前記キャパシタンス要素間に、インダクタンス要素を接続配置してなることを特徴とする放電管点灯装置。
【請求項３】
前記駆動回路は、第１のスイッチング要素と第２のスイッチング要素の直列回路及び第３のスイッチング要素と第４のスイッチング要素の直列回路とからなるフルブリッジ回路を具備することを特徴とする請求項１または請求項２のいずれかに記載の放電管点灯装置。
【請求項４】
前記駆動回路は、第１のインダクタンス要素と第１のスイッチング要素の直列回路及び第２のインダクタンス要素と第２のスイッチング要素の直列回路とからなるプッシュプル回路を具備することを特徴とする請求項１または請求項２のいずれかに記載の放電管点灯装置。
【発明の詳細な説明】
【技術分野】
【０００１】
本発明は、表示装置におけるバックライト用放電管を点灯する電源装置に好適な圧電トランスを用いた放電管点灯装置に関する。
【背景技術】
【０００２】
液晶パネルの表示装置には、冷陰極管等の放電管が光源として使用されている。この放電管を点灯する電源装置には、小型化、軽量化を図るために圧電トランスを利用した放電管点灯装置が使用されている。
【０００３】
図１は、圧電トランスを使用した放電管点灯装置の基本回路を示すブロック図である。放電管点灯装置の基本回路は、図１に示すように、圧電トランス１と、駆動回路部４と、直流電源５と、放電管６とで構成される。圧電トランス１は入力部２と出力部３を具備し、入力部２は、駆動回路部４に接続され、出力部３は放電管６に接続されている。駆動回路部４は直流電源５から電力の供給を受け、圧電トランス１の持つ共振周波数近傍の周波数となる矩形波の交流電圧を入力部２に出力する。圧電トランス１は、前記入力電圧を昇圧して、出力部３から高電圧を放電管６に出力する。この高電圧により放電管６が点灯する構成になっている。
【０００４】
圧電トランス１は圧電セラミックス材料からなり、誘電体としての性質をもつため、入力部２は、内部入力キャパシタンス要素を有する。従って、厳密には、前記基本回路において、例えば入力部２に直列あるいは並列にインダクタンス要素を付加して前記キャパシタンス要素とで合成共振回路を構成する。駆動回路部４は、この合成共振回路の持つ共振周波数での矩形波の交流電圧を作り出力し、圧電トランス１の入力部２を駆動する。
【０００５】
圧電トランス１は、駆動回路部４から出力された前記矩形波の交流電圧によって共振し、前記交流電圧を数十倍に昇圧した出力電圧を出力部３から放電管６に出力する。この圧電トランス１の出力電圧が、放電管６を点灯させる。
【０００６】
しかしながら、上記従来の放電管点灯装置は、圧電トランス１の入力部２における内部入力キャパシタンス要素の温度による容量値の変動が、放電管点灯装置としての性能に大きく影響する。図２は圧電トランスの入力部における内部入力キャパシタンス要素の容量値の温度特性を示すグラフである。
【０００７】
図２のグラフに示すように、内部入力キャパシタンス要素の容量値は周囲の温度により、大きく変化する。一方、前記合成共振回路を構成する、前記インダクタンス要素のインダクタンス値は、温度変化よってほとんど変化しない。そのため、圧電トランス１の入力部２における内部入力キャパシタンス要素の容量値の変化に伴い、前記合成共振回路の出力電圧の周波数特性が変化する。
【０００８】
図３は、合成共振回路の出力電圧の周波数特性を示すグラフである。図３のグラフは、横軸に周波数を示し、縦軸に合成共振回路の出力電圧を示している。また、グラフには、周囲温度が２５℃の場合と８５℃の場合の出力電圧をそれぞれ示している。グラフに示すように、周囲温度によって、出力電圧が最大となる周波数と、その周波数での出力電圧が大きく変化していることが解る。
【０００９】
図４は、従来の放電管点灯装置の効率を示すグラフである。図４のグラフは、図３で示した周囲温度が２５℃の場合と８５℃の場合における放電管点灯装置の効率を示している。グラフに示すように、周囲温度が２５℃の時と８５℃の時とを比較すると、５０ｋＨｚでの効率は約１０％以上変動することが解る。
【００１０】
この圧電トランスの入力部における内部入力キャパシタンス要素の容量値の温度変化による影響を低減するための検討が種々なされている。
【００１１】
例えば、図５は、従来の放電管点灯装置の回路図である。図５に示す従来の放電管点灯装置は、直流電源５と、直流電源５の両端に接続された第１及び第２のスイッチング要素たるトランジスタＱ８、Ｑ９の直列回路と、同じく直流電源５の両端に接続された第３及び第４のスイッチング要素たるトランジスタＱ１０、Ｑ１１の直列回路と、第１及び第２のトランジスタＱ８、Ｑ９の接続点に一端を接続した第１のインダクタンス要素たるコイルＬｃ５とを備えて、フルブリッジインバータ回路７を構成している。
【００１２】
圧電トランス１の入力部２には、キャパシタンス要素であるコンデンサＣ１と、第２のインダクタンス要素であるコイルＬ１とが並列に接続され、コンデンサＣ１の一端はコイルＬｃ５に接続され、他端は、第３のトランジスタＱ１０と第４のトランジスタＱ１１との接続点に接続されている。圧電トランス１の入力部２に内在する内部入力キャパシタンス要素と、前記コンデンサＣ１とコイルＬｃ５とコイルＬ１は、合成共振回路部８を構成する。
【００１３】
フルブリッジインバータ回路７は、第１及び第４のトランジスタＱ８、Ｑ１１の対と、第２及び第３のトランジスタＱ９、Ｑ１０の対とを交互にオン、オフさせることによって、合成共振回路部８を共振させる。
【００１４】
この場合、圧電トランス１の入力部２のキャパシタンス要素にコンデンサＣ１とコイルＬ１とを並列に接続して、合成容量を構成してある。この合成容量は第２のインダクタンス要素のコイルＬｃ５と共振するように、容量性の合成キャパシタンス要素にしてある。さらに、前記合成キャパシタンス要素に占める圧電トランス１の入力部２におけるキャパシタンス要素の割合を小さくすることで、容量値の周囲温度変化に対する変化量を少なくする提案がなされている。
【００１５】
図６は、容量値の温度変化率を示すグラフである。図６のグラフには、前記の提案による圧電トランス１の入力部２における内部入力キャパシタンス要素の容量値の温度変化率をＡに、前記内部入力キャパシタンス要素にコンデンサＣ１、コイルＬ１を並列接続した合成キャパシタンス要素の合成容量値の温度変化率をＢに示している。前記内部入力キャパシタンス要素にコンデンサＣ１、コイルＬ１を並列接続した合成キャパシタンス要素の合成容量値の温度変化率は、±１０％に低減していることがグラフから解る。
【００１６】
また、図５において、第１乃至第４のトランジスタＱ８、Ｑ９、Ｑ１０、Ｑ１１のオン、オフ時間、デューティ比を制御することによって、直流電源５の入力電圧の変動を抑えて安定した電圧を共振回路に供給する提案もなされている。以上のような放電管点灯装置は、特許文献１に開示されている。
【００１７】
【特許文献１】特開２００１−１９７７４８号公報
【発明の開示】
【発明が解決しようとする課題】
【００１８】
従来の放電管点灯装置は、前記の如く、圧電トランスの入力部の内部入力キャパシタンス要素に、コンデンサ、コイルを各１個を並列接続することにより、合成キャパシタンス要素を構成し、共振回路における容量値の温度変化を緩和させることは出来たが、依然として合成内部入力キャパシタンス要素の容量値は−３０℃の低温側、８５℃の高温側とも約１０％変化しているという問題点がある。また、２個の部品を必要とするため、コストの増加、や、実装面積が増えて小型化が困難となり、さらには電気的な損失が大きくなるという問題点がある。
【００１９】
従って、本発明は、上記従来技術の問題点を解決することを課題とする。具体的には、共振回路における合成キャパシタンス要素の温度特性変化率を小さくし、小型で、低コスト、低損失で温度変化による効率変動の少ない放電管点灯装置を提供することを課題とする。
【課題を解決するための手段】
【００２０】
本発明は、前記課題を解決するために、以下の手段を採用した。即ち、圧電トランスの入力部に内在する内部入力キャパシタンス要素の容量値の温度による変化の影響を減少させるため、放電管点灯装置の回路構成における合成共振回路部に温度補償機能を有するキャパシタンス要素を採用することをその要旨とする。
【００２１】
本発明によれば、入力部と出力部とを有する圧電トランスと、前記圧電トランスの前記入力部に接続された共振回路部と、前記共振回路部に接続されて交流電圧を供給する駆動回路部と、前記圧電トランスの出力部に接続される放電管からなる放電管点灯装置であって、前記共振回路部と前記入力部間に、前記入力部に並列に、容量値の温度による変化率が−３０℃以上、８０℃の範囲で極大値を有するキャパシタンス要素を接続配置してなることを特徴とする放電管点灯装置が得られる。
【００２２】
本発明による放電管点灯装置は、少なくとも、放電管と、駆動回路部と、共振回路部と、圧電トランスと、キャパシタンス要素とで構成される。放電管は一般的な液晶表示パネル等のバックライトとして使用される冷陰極管等である。駆動回路部は、直流或いは交流の電源から電力の供給を受けて、圧電トランスを駆動するための基準となる交流電圧を発生する。この交流電圧は、後段に接続される共振回路部へ出力される。
【００２３】
共振回路部は共振素子やスイッチング素子等で構成され、圧電トランスの入力部に接続し、圧電トランスの入力部を励振するための交流電圧を発生する機能を有する。この共振回路部は、前記圧電トランスの入力部に存在する内部入力キャパシタンス要素と前記キャパシタンス要素を含めた合成共振回路部となってはじめてその機能を有する。即ち、共振回路部を構成する共振素子やスイッチング素子と前記内部入力キャパシタンス要素と前記キャパシタンス要素とが合成共振回路部を構成して、前記駆動回路部が発生する交流電圧を圧電トランスの入力部の励振に適した周波数の交流電圧に変換する機能を有する。
【００２４】
前記圧電トランスの入力部に存在する内部入力キャパシタンス要素の静電容量及び静電容量の温度による変化量は、圧電トランスの材質、構造により決まる。そこで、本発明では、予め前記内部入力キャパシタンス要素の静電容量の温度による変化を把握した上で、前記キャパシタンス要素を適宜選定し、前記共振回路部と前記圧電トランスの入力部の間に配置接続し、前記圧電トランスの入力部の内部入力キャパシタンス要素に並列に接続する。
【００２５】
本発明による放電管点灯装置において、使用する圧電トランスの内部入力キャパシタンス要素の温度による変化率は、圧電トランスに使用される材料が、ジルコン酸チタン酸鉛系の圧電セラミックス材料で、機械的品質係数が１０００以上の材料の場合には、−３０℃以上、８０℃以下の範囲で−３０％以上、＋２０％以下であることが検証の結果明らかとなった。
【００２６】
そこで、本発明による放電管点灯装置における、前記キャパシタンス要素は、容量値の温度による変化率が−３０℃以上、８０℃の範囲で極大値を有するキャパシタンス要素を採用することにより、前記キャパシタンス要素と前記内部入力キャパシタンス要素を合わせて合成キャパシタンス要素とした場合、この合成キャパシタンス要素の静電容量の温度による変化率は、１０℃を基準とした場合、−３０℃以上、８０℃以下の範囲で±５％以内に低減する。
【００２７】
本発明によれば、入力部と出力部とを有する圧電トランスと、前記圧電トランスの前記入力部に接続された共振回路部と、前記共振回路部に接続されて交流電圧を供給する駆動回路部と、前記圧電トランスの出力部に接続される放電管からなる放電管点灯装置であって、前記共振回路部と前記入力部間に、前記入力部に並列に、容量値の温度による変化率が−３０℃以上、８０℃の範囲で極大値を有するキャパシタンス要素を接続配置し、前記共振回路部と前記キャパシタンス要素間に、インダクタンス要素を接続配置してなることを特徴とする放電管点灯装置が得られる。
【００２８】
本発明による放電管点灯装置は、前記合成共振回路部が、圧電トランスの入力部の内部入力キャパシタンス要素とキャパシタンス要素とを合わせた合成キャパシタンス要素と、前記圧電トランスの入力部に直列または並列に接続されるインダクタンス要素とで構成された場合においても、前記手段により合成キャパシタンス要素の容量値の温度による変化率を小さくすることが出来る。
【００２９】
本発明によれば、前記駆動回路は、第１のスイッチング要素と第２のスイッチング要素の直列回路及び第３のスイッチング要素と第４のスイッチング要素の直列回路とからなるフルブリッジ回路を具備することを特徴とする放電管点灯装置が得られる。
【００３０】
本発明では、前記駆動回路が、直流電源両端に接続される第１、第２のスイッチング要素の直列回路と、同じく直流電源両端に接続される第３、第４のスイッチング要素の直列回路を具備した、フルブリッジ回路で構成された場合も、前記手段により合成キャパシタンス要素の容量値の温度特性変化率を小さく出来る。
【００３１】
本発明によれば、前記駆動回路は、第１のインダクタンス要素と第１のスイッチング要素の直列回路及び第２のインダクタンス要素と第２のスイッチング要素の直列回路とからなるプッシュプル回路を具備することを特徴とする放電管点灯装置が得られる。
【００３２】
本発明では、前記駆動回路が、直流電源両端に接続される第１のインダクタンス要素と、第１のスイッチング要素の直列回路と、同じく直流電源両端に接続される第２のインダクタンス要素と第２のスイッチング要素の直列回路を具備した、プッシュプル回路で構成された場合も、前記手段により合成内部入力キャパシタンス要素の容量値温度特性変化率を小さく出来る。
【発明の効果】
【００３３】
前記の如く、本発明によれば、圧電トランスを用いた放電管点灯装置において、共振回路における合成キャパシタンス要素の温度特性変化率を小さくし、小型で、低コスト、低損失で温度変化による効率変動の少ない放電管点灯装置を提供することが可能となる。
【発明を実施するための最良の形態】
【００３４】
本発明による放電管点灯装置は、少なくとも、放電管と、駆動回路部と、共振回路部と、圧電トランスと、キャパシタンス要素とで構成される。放電管は一般的な液晶表示パネル等のバックライトとして使用される冷陰極管等である。駆動回路部は、直流或いは交流の電源から電力の供給を受けて、圧電トランスを駆動するための基準となる交流電圧を発生する。この交流電圧は、後段に接続される共振回路部へ出力される。
【００３５】
また、共振回路部は、前記圧電トランスの入力部に存在する内部入力キャパシタンス要素と前記キャパシタンス要素を含めた合成共振回路部を構成し、前記駆動回路部が発生する交流電圧を圧電トランスの入力部の励振に適した周波数の交流電圧に変換して、圧電トランスの入力部へ出力する。圧電トランスは前記交流電圧を昇圧し、出力部から放電管へ高電圧を出力し、放電管を点灯させる構成とする。
【実施例】
【００３６】
以下、本発明による放電管点灯装置の実施例について、図面を参照しながら詳細に説明する。
【００３７】
（実施例１）
図７は、実施例１を示すブロック図である。実施例１による放電管点灯装置は、駆動回路部１１と共振回路部１２とキャパシタンス要素となるコンデンサＣ１と圧電トランス１及び放電管６とからなる。駆動回路部１１は共振回路部１２に接続し、基準となる矩形波の交流電圧を共振回路部１２へ供給する。共振回路部１２の出力は圧電トランス１の入力端子１４と入力端子１５に接続し、コンデンサＣ１は圧電トランス１の入力端子１４及び入力端子１５に並列に接続した。また、圧電トランス１の出力部３には放電管６を接続した。
【００３８】
圧電トランス１の入力部２の入力端子１４と入力端子１５との間には、内部入力キャパシタンス要素が存在する。この内部入力キャパシタンス要素とコンデンサＣ１の静電容量とを合わせて合成内部入力キャパシタンス要素を形成する。この合成内部入力キャパシタンス要素と前記共振回路部１２とはさらに合成共振回路部１６を形成する。駆動回路部１１から出力された基準となる矩形波の交流電圧は、この合成共振回路部１６を構成する共振素子やスイッチング素子と合成内部入力キャパシタンス要素が形成する共振回路の共振周波数を持つ正弦波電圧に変換され、圧電トランス１の入力部２を励振する。
【００３９】
圧電トランス１の入力部２が励振されると、圧電トランス１の共振特性により、入力部２に入力された前記正弦波電圧は増幅されて、圧電トランス１の出力部３に数ｋＶの高電圧が発生する。この高電圧により、圧電トランス１の出力部３に接続された放電管６が点灯する。
【００４０】
図８は、実施例１におけるコンデンサＣ１の容量値変化率を示すグラフである。グラフは横軸に温度（℃）、縦軸に容量変化率（％）を示している。実施例１では、図８に示すような容量変化率を有するコンデンサをコンデンサＣ１として採用した。即ち、コンデンサＣ１の容量値は１０℃の容量値を基準として、１０℃より温度が降下或いは上昇するに伴い減少し、−３０℃では−９０％であり、＋８０℃では−９０％の静電容量の変化率を持つコンデンサである。このような特性のコンデンサは、例えば、積層セラミックコンデンサの温度特性分類がＪＩＳ規格のＹ５Ｖに含まれるコンデンサで得ることが出来る。
【００４１】
図９は、合成キャパシタンス要素の容量値変化率を示すグラフである。グラフは横軸に温度（℃）、縦軸に容量変化率（％）を示している。実施例１では前記のコンデンサＣ１を採用することにより、圧電トランス１の入力部２に内在する内部入力キャパシタンス要素とコンデンサＣ１とで構成される合成キャパシタンス要素の容量値変化率は、図９に実線で示すように、−３０以上、１２０℃以下の温度範囲において０％以上、１０％以下である。比較のために、コンデンサＣ１を使用しない場合の合成キャパシタンス要素の容量値変化率、即ち圧電トランス１の入力部２に内包する、内部入力キャパシタンス要素のみの容量値変化率を点線で示した。
【００４２】
前記の如く、本実施例１によれば、圧電トランス１の入力部２に内包する、内部入力キャパシタンス要素の容量値変化率をコンデンサＣ１の容量値変化率が補償する温度補償機能を有するので、−３０以上、１２０℃以下の温度範囲において、合成キャパシタンス要素の容量値変化率が０％以上、１０％以下となり、合成共振回路部１６が形成する共振回路の共振周波数が温度変化により変化しにくいので、結果として、温度変化に対して安定した性能が得られる放電管点灯装置の提供が可能となった。
【００４３】
（実施例２）
図１０は、実施例２を示すブロック図である。実施例２による放電管点灯装置は、実施例１で示した放電管点灯装置において、共振回路部１２とコンデンサＣ１との間に、コンデンサＣ１に直列にインダクタンス要素となるコイルＬ１を接続した。図１０には駆動回路部は図示しない。
【００４４】
実施例２による放電管点灯装置では、共振回路部１２とコンデンサＣ１と圧電トランス１の入力部２に内包する内部入力キャパシタンス要素に加え、前記コイルＬ１とが合成共振回路部１６を構成する。この合成共振回路部１６が成す共振回路の共振周波数を持つ正弦波電圧が圧電トランス１の入力部２を励振する。
【００４５】
このようなコイルＬ１を接続した放電管点灯装置の場合においても、図８に示すような容量変化率を有するコンデンサをコンデンサＣ１として採用することで実施例１と同様の効果が得られた。
【００４６】
（実施例３）
図１１は、実施例３を示すブロック図である。実施例３による放電管点灯装置は、実施例１で示した放電管点灯装置において、合成共振回路部１６を圧電トランス１の入力部２に内包する内部入力キャパシタンス要素と、コンデンサＣ１と、コンデンサＣ１に直列に接続したコイルＬ１とで構成し、さらに直流電源５に接続された第１と第２のスイッチング要素であるトランジスタＱ１及びＱ２の直列回路と、同じく直流電源５の両端に接続された第３と第４のスイッチング要素であるＱ３及びＱ４の直列回路で構成されるフルブリッジ回路を採用した。
【００４７】
実施例３による放電管点灯装置においても、図８に示すような容量変化率を有するコンデンサをコンデンサＣ１として採用することで実施例１と同様の効果が得られた。
【００４８】
（実施例４）
図１２は、実施例４を示すブロック図である。実施例４による放電管点灯装置は、実施例１で示した放電管点灯装置において、合成共振回路部１６を直流電源５の両端に接続された第１のインダクタンス要素たるコイルＬ２ａと第１のスイッチング要素たるトランジスタＱ１の直列回路と、同じく直流電源５の両端に接続された第２のインダクタンス要素たるコイルＬ２ｂと、第２のスイッチング要素たるトランジスタＱ２の直列回路で構成されたプッシュプル回路とし、合わせて、圧電トランス１の入力部２に内包する内部入力キャパシタンス要素と、コンデンサＣ１とで構成した。
【００４９】
実施例４による放電管点灯装置においても、図８に示すような容量変化率を有するコンデンサをコンデンサＣ１として採用することで実施例１と同様の効果が得られた。
【００５０】
前記実施例１乃至４では、圧電トランス１に、ジルコン酸チタン酸鉛系の圧電セラミックス材料で、機械的品質係数が１０００以上の材料からなる矩形板状のローゼン型の圧電トランスを使用したが、本発明では、圧電トランスの形状や構造については、放電管の仕様に合わせ、適宜設計すれば良い。
【００５１】
また、本発明では、キャパシタンス要素であるコンデンサＣ１が圧電トランス１の入力部２が内包する内部内部入力キャパシタンス要素の温度による容量変化を補償する機能を有すればよく、その容量値の温度による変化率が−３０℃以上、８０℃の範囲で極大値を有すことが望ましく、さらには、容量値の温度による変化率が１０℃での容量値を基準として、１０℃より温度が降下或いは上昇するに伴い減少し、−３０℃では−１００％以上、−８０％以下であり、８０℃では−１００％以上、−８０％以下であることがより望ましい。
【００５２】
前述の如く、本発明によれば、圧電トランスを用いた放電管点灯装置において、共振回路における合成キャパシタンス要素の温度特性変化率を小さくし、小型で、低コスト、低損失で温度変化による効率変動の少ない放電管点灯装置を提供することが可能となる。
【産業上の利用可能性】
【００５３】
本発明は、表示装置におけるバックライト用放電管を点灯する電源装置として利用できるほか、各種放電管の点灯装置として利用できる。
【図面の簡単な説明】
【００５４】
【図１】圧電トランスを使用した放電管点灯装置の基本回路を示すブロック図。
【図２】圧電トランスの入力部における内部入力キャパシタンス要素の容量値の温度特性を示すグラフ。
【図３】合成共振回路の出力電圧の周波数特性を示すグラフ。
【図４】従来の放電管点灯装置の効率を示すグラフ。
【図５】従来の放電管点灯装置の回路図。
【図６】容量値の温度変化率を示すグラフ。
【図７】実施例１を示すブロック図。
【図８】実施例１におけるコンデンサＣ１の容量値変化率を示すグラフ。
【図９】合成キャパシタンス要素の容量値変化率を示すグラフ。
【図１０】実施例２を示すブロック図。
【図１１】実施例３を示すブロック図。
【図１２】実施例４を示すブロック図。
【符号の説明】
【００５５】
１    圧電トランス
２    入力部
３    出力部
４、１１    駆動回路部
５    直流電源
６    放電管
７    フルブリッジインバータ回路
８、１６    合成共振回路部
１２    共振回路部
１４、１５    入力端子
Ｑ１、Ｑ２、Ｑ３、Ｑ４、Ｑ８、Ｑ９、Ｑ１０、Ｑ１１    トランジスタ
Ｌ１、Ｌ２ａ、Ｌ２ｂ、Ｌｃ５    コイル
Ｃ１    コンデンサ
【図１】
2007200590.tif 000003
【図２】
2007200590.tif 000004
【図３】
2007200590.tif 000005
【図４】
2007200590.tif 000006
【図５】
2007200590.tif 000007
【図６】
2007200590.tif 000008
【図７】
2007200590.tif 000009
【図８】
2007200590.tif 000010
【図９】
2007200590.tif 000011
【図１０】
2007200590.tif 000012
【図１１】
2007200590.tif 000013
【図１２】
2007200590.tif 000014